(57)【要約】【課題】遊技領域に遊技球を捕球可能な捕球手段を左右方向へ往復移動可能に設けたものにあって、遊技の興趣をより高める。【解決手段】遊技球が打ち込まれる遊技領域に、遊技球を捕球可能な捕球手段５０、５１を左右方向へ往復移動可能に設ける。捕球手段５０、５１は、遊技球を捕球可能な捕球姿勢及び捕球した遊技球を排出可能な排出姿勢に変位可能な捕球部材５０３と、捕球部材５０３を捕球姿勢から排出姿勢への変位を阻止する係合姿勢及び可能にする離脱姿勢に変位可能な係合部材５０１とを有し、その折り返し位置又はその近傍に達したとき、係合部材５０１が、その移動軌跡に設けられた解除部７０、７１に当接して係合姿勢から離脱姿勢へ変位することにより、遊技球を捕球した捕球部材５０３が捕球姿勢から排出姿勢へ変位する。  【選択図】  図４
2008272127.tif 000002
【特許請求の範囲】
【請求項１】
遊技球が打ち込まれる遊技領域に、遊技球を捕球可能な捕球手段を左右方向へ往復移動可能に設け、遊技球が前記捕球手段に捕球されることにより所定の遊技が行われるようにした弾球遊技機において、
前記捕球手段は、捕球した遊技球を左右方向へ搬送し、折り返し位置又はその近傍で所定の方向へ向けて排出する動作を行うことを特徴とする弾球遊技機。
【請求項２】
前記捕球手段は、遊技球を捕球可能な捕球姿勢及び捕球した遊技球を排出可能な排出姿勢に変位可能な捕球部材と、前記捕球部材を捕球姿勢から排出姿勢への変位を阻止する係合姿勢及び可能にする離脱姿勢に変位可能な係合部材とを有し、
前記捕球手段が折り返し位置又はその近傍に達したとき、前記係合部材が、その移動軌跡に設けられた解除部に当接して係合姿勢から離脱姿勢へ変位することにより、遊技球を捕球した前記捕球部材が捕球姿勢から排出姿勢へ変位することを特徴とする請求項１記載の弾球遊技機。
【請求項３】
前記捕球部材は、自体を捕球姿勢へ向けて回転モーメントを付与する第１の錘に抗して、捕球した遊技球の自重により捕球姿勢から排出姿勢へ回動して遊技球を排出した後、前記第１の錘により排出姿勢から捕球姿勢に復帰することを特徴とする請求項１又は２記載の弾球遊技機。
【請求項４】
前記係合部材は、前記捕球手段が折り返し位置からその移動方向を反転して前記解除部から離れることにより、自体を係合姿勢へ向けて回転モーメントを付与する第２の錘により離脱姿勢から係合姿勢に復帰することを特徴とする請求項１〜３のいずれかに記載の弾球遊技機。
【請求項５】
前記捕球手段は、折り返し位置又はその近傍で、捕球した遊技球を、遊技者に対して有利な特別遊技の権利を発生可能とする特別入賞口へ向けて排出することを特徴とする請求項１〜４のいずれかに記載の弾球遊技機。
【発明の詳細な説明】
【技術分野】
【０００１】
本発明は、遊技球を遊技領域に打込んで遊技を行う弾球遊技機に関する。
【背景技術】
【０００２】
弾球遊技機においては、遊技球が打ち込まれる遊技領域に、遊技球が通過可能な入賞口を左右方向へ移動可能に設けることによって、遊技球の流下方向を変化させる等して、遊技の興趣を高めるようにしたものがある（例えば、特許文献１）。
【特許文献１】特開２００５−８０７３３号公報
【発明の開示】
【発明が解決しようとする課題】
【０００３】
しかし、上述のような弾球遊技機においては、遊技球が左右方向へ移動する入賞口に入球しても、遊技球の流下方向を変化させるだけであるため、遊技球が入賞口に入球したときの遊技球の動きに面白味が無く、遊技がすぐに飽きられてしまうおそれがある。
【０００４】
本発明は、上述の課題に鑑みてなされたもので、遊技領域に遊技球を捕球可能な捕球手段を左右方向へ往復移動可能に設けたものにあって、遊技の興趣をより高めることができるようにした弾球遊技機を提供することを目的とする。
【課題を解決するための手段】
【０００５】
本発明によると、上記課題は、次のようにして解決される。
（１）遊技球が打ち込まれる遊技領域に、遊技球を捕球可能な捕球手段を左右方向へ往復移動可能に設け、遊技球が前記捕球手段に捕球されることにより所定の遊技が行われるようにした弾球遊技機において、前記捕球手段は、捕球した遊技球を左右方向へ搬送し、折り返し位置又はその近傍で所定の方向へ向けて排出する動作を行う。
【０００６】
（２）上記(１)項において、前記捕球手段は、遊技球を捕球可能な捕球姿勢及び捕球した遊技球を排出可能な排出姿勢に変位可能な捕球部材と、前記捕球部材を捕球姿勢から排出姿勢への変位を阻止する係合姿勢及び可能にする離脱姿勢に変位可能な係合部材とを有し、前記捕球手段が折り返し位置又はその近傍に達したとき、前記係合部材が、その移動軌跡に設けられた解除部に当接して係合姿勢から離脱姿勢へ変位することにより、遊技球を捕球した前記捕球部材が捕球姿勢から排出姿勢へ変位する。
【０００７】
（３）上記(１)又は(２)項において、前記捕球部材は、自体を捕球姿勢へ向けて回転モーメントを付与する第１の錘に抗して、捕球した遊技球の自重により捕球姿勢から排出姿勢へ回動して遊技球を排出した後、前記第１の錘により排出姿勢から捕球姿勢に復帰する。
【０００８】
（４）上記(１)〜(３)項のいずれかにおいて、前記係合部材は、前記捕球手段が折り返し位置からその移動方向を反転して前記解除部から離れることにより、自体を係合姿勢へ向けて回転モーメントを付与する第２の錘により離脱姿勢から係合姿勢に復帰する。
【０００９】
（５）上記(１)〜(５)項のいずれかにおいて、前記捕球手段は、折り返し位置又はその近傍で、捕球した遊技球を、遊技者に対して有利な特別遊技の権利を発生可能とする特別入賞口へ向けて排出する。
【発明の効果】
【００１０】
本発明によると、次のような効果を奏することができる。
請求項１記載の発明によると、捕球手段は捕球した遊技球を左右方向へ搬送し、折り返し位置又はその近傍で所定の方向へ向けて排出する動作を行うため、遊技者は遊技球が搬送される様子及び排出される様子を見て遊技を楽しむことができ、遊技の興趣をより高めることができる。
【００１１】
請求項２記載の発明によると、捕球手段は遊技球を捕球可能な捕球姿勢及び捕球した遊技球を排出可能な排出姿勢に変位可能な捕球部材と、捕球部材を捕球姿勢から排出姿勢への変位を阻止する係合姿勢及び可能にする離脱姿勢に変位可能な係合部材とを有するため、捕球した遊技球を捕球手段の折り返し位置又はその近傍まで確実に搬送して、その位置で確実に排出することができる。
【００１２】
請求項３記載の発明によると、捕球部材を排出姿勢から捕球姿勢へ変位させるための動力を必要としないため、捕球手段の構造を簡単にすることができる。
【００１３】
請求項４記載の発明によると、係合部材を離脱姿勢から係合姿勢へ変位させるための動力を必要としないため、捕球手段の構造を簡単にすることができる。
【００１４】
請求項５記載の発明によると、遊技球が捕球手段に捕球されることによって、遊技者に対して有利な特別遊技の権利を発生可能とすることができる。
【発明を実施するための最良の形態】
【００１５】
以下、本発明に係る一実施形態を図面に基づいて説明する。図１は、本発明を適用した弾球遊技機の正面図である。なお、以下の説明においては、図１において図面手前を「前方又は表面」とし、図面奧を「後方又は裏面」とし、左方を「左方」とし、右方を「右方」とする。
【００１６】
図１に示すように、弾球遊技機をなすパチンコ機１は、遊技施設に据付けられる外枠２と、外枠２内に固定され、表面に外側ガイドレール３と内側ガイドレール４とによって包囲された円形状の遊技領域５を形成した遊技盤６と、遊技盤６の表面側にあって、外枠２に開閉可能に支持されたガラス枠扉７とを備えている。
【００１７】
ガラス枠扉７の下方に設けられた球供給皿８に貯留されている遊技球は、ガラス枠扉７の右下に設けられた操作ハンドル９を回動操作することによって、発射装置（図示略）から発射されて、外側ガイドレール３及び内側ガイドレール４により誘導されて遊技領域５内に打込まれ、遊技領域５に植設された多数の遊技釘に当接しながら流下する。なお、遊技釘は図面簡素化のため省略してある 。
【００１８】
遊技領域５のほぼ中央部には、遊技領域５に打込まれた遊技球を内部に受入可能な特別入賞装置２０が配置されている。なお、特別入賞装置２０の内部は、遊技領域５の一部をなす特別遊技領域２１として形成される。特別入賞装置２０の下方には、遊技球Ａが入球可能な第１始動口１０及び左右の第２始動口１１がそれぞれ配置されている。さらに、遊技領域５の最下部には、遊技領域５に打込まれた遊技球を遊技盤６の裏面側に排出するアウト口１２が設けられている。
【００１９】
特別入賞装置２０は、その左側面に設けられた後述の開口３０を開閉可能な羽根部材２２を備え、第１始動口１０又は第２始動口１１に遊技球Ａが入球したことを契機に羽根部材２２が所定回数開閉動作を行う。羽根部材２２が開閉動作しているときは、特別入賞装置２０の開口３０が一旦解放されるため、遊技領域５に打込まれた遊技球Ａは特別遊技領域２１に入球する確率が高くなる。
【００２０】
図２は、特別入賞装置２０の正面図、図３は、図２におけるIII−III線縦断面図、図４、５は、特別入賞装置２０内の一部を切り欠いて示す要部の斜視図、図６は、要部の拡大斜視図である。
【００２１】
特別入賞装置２０は、遊技盤６における遊技領域５の中央に固定され、内部に特別遊技領域２１を形成する箱形のハウジング２３を備える。ハウジング２３の左側面には、羽根部材２２により開閉可能な開口３０が設けられている。特別遊技領域２１内における開口３０の直下には、遊技球Ａの通過を検出する入賞センサ３１が配置されている。入賞センサ３１の下方には、右側に向けて下り勾配の誘導路３２及び跳ね上げ式の橋３３が設けられている。誘導路３２の右端部は、前後方向へ貫通した導入口３４を通して、ハウジング２３の右端奥部に配置されたリフト手段（図示略）の下端に通じている。
【００２２】
羽根部材２２が開閉動作しているとき、開口３０に入球した遊技球Ａは、入賞センサ３１、誘導路３２及び橋３３を通ってリフト手段に送られてリフト手段の最上部まで搬送され、そこに設けられた発射装置（図示略）により、ハウジング２３の上部に設けられたガイド用通路４０を介して特別遊技領域２１の最上位置の奥部に配置された椀形の受入容器４１内に向けて発射される。受入容器４１内に入球した遊技球Ａは、受入容器４１の底部に設けた落し孔４２から受入容器４１の下方に設けられた前方へ下り勾配の第１落下ガイド部４３に落下した後、第１ガイド部４３の前端から転がり落ちる。
【００２３】
第１落下ガイド部４３の前端下方には、第１垂直面４５が設けられ、第１垂直面４５の下端には、前方へ下り勾配の第２落下ガイド部４６が設けられ、第２落下ガイド部４６の前端には、第２垂直面４７が設けられている。
【００２４】
第１落下ガイド部４３から落下した遊技球Ａは、後述のように左右方向へ常時往復移動している特別権利獲得捕球手段５０及び再抽選捕球手段５１により捕球される可能性があり、これらに捕球されない場合には、第２落下ガイド部４６に落下した後、その前端から転がり落ちて、第２垂直面４７の下方前部に設けられた排出ガイド部４８に落下して、その両側に配置された外れ口（図示略）から遊技盤６の裏面側に排出される。
【００２５】
第１垂直面４５の前面には、第１落下ガイド部４３から落下した遊技球Ａを捕球可能な特別権利獲得捕球手段５０が左右方向へ往復移動可能に支持されている。また、第２垂直面４７の前面には、第１落下ガイド部４３から落下した遊技球Ａのうち、特別権利獲得捕球手段５０により捕球されなかった遊技球Ａを捕球可能な再抽選捕球手段５１が左右方向へ往復移動可能に支持されている。なお、特別権利獲得捕球手段５０と再抽選捕球手段は、左右方向へ互い違いに往復移動する。
【００２６】
特別権利獲得捕球手段５０は、第１落下ガイド部４３から落下した遊技球Ａを捕球可能な補球姿勢を維持しつつ第１垂直面４５の前面に沿って左右方向に往復移動し、また、遊技球Ａを捕球した場合には、遊技球Ａを左右方向へ搬送して特別遊技領域２１内における右端折返し位置の近傍に設けられた特別入賞口６０へ向けて排出する動作を後述のようにして行なう。なお、特別入賞口６０内には、遊技球Ａの通過を検出して、後述の特別遊技の権利を発生可能とするセンサが内蔵されている。
【００２７】
再抽選捕球手段５１は、第２ガイド部４６から落下した遊技球Ａを捕球可能な補球姿勢を維持しつつ第２垂直面４５の前面に沿って左右方向へ往復移動し、遊技球Ａを捕球した場合には、遊技球Ａを左右方向へ搬送して特別遊技領域２１の右端折り返し位置近傍に設けられた再抽選用誘導路９０（図６参照）に向けて排出する動作を後述のようにして行なう。再抽選用誘導路９０へ向けて排出された遊技球Ａは、導入口３４の左側方に隣接して開口された再チャレンジ用排出口３５（図２参照）から誘導路３２に戻され、再び導入口３４を通って、リフト手段に搬送されて受入容器４１内に戻される。
【００２８】
第１垂直面４５の前面右端部には、特別権利獲得捕球手段５０が右端折り返し位置又はその近傍に達したとき（図４参照）、特別権利獲得捕球手段５０の後述の係合部材５０１の後面に突設された突軸５０１ｂに当接可能な解除部をなす第１突起７０が突設されている。また、第２垂直面４７の前面右端部には、再抽選捕球手段５１が右端折り返し位置又はその近傍に達したとき（図５参照）、再抽選捕球手段５１の係合部材５０１の後面に突設された突軸５０１ｂに当接可能な解除部をなす第２突起７１が突設されている。
【００２９】
特別権利獲得捕球手段５０に捕球された遊技球Ａが特別入賞口６０を通過して特別遊技の権利が発生した場合、橋３３は、開口３０から入球した遊技球Ａがリフト手段へ誘導されないように、図２に実線で示す倒伏位置から想像線で示す跳ね上げ位置に回動して誘導路３２の一部を切断する。橋３３が跳ね上げ位置に回動した場合には、遊技球Ａは、橋３３の下方に設けられた後方へ下り勾配のガイド部３３ａから排出ガイド部４８に誘導される。そして、特別遊技の権利が終了した時点で、橋３３は倒伏位置に復帰する。なお、橋３３は、誘導路３２の下方に設けられたソレノイド３３ｂによって回動動作を行なう。
【００３０】
特別権利獲得捕球手段５０及び再抽選捕球手段５１は、ハウジング２３の内部に支持された平行リンク８３、８３の上端部及び下端部にそれぞれ支持されるとともに、第１、第２垂直面４５、４７にそれぞれ形成された上向き円弧状スリット４５ａ及び下向き円孔状スリット４７ａから突出して左右方向へそれぞれ往復移動する。
【００３１】
ハウジング２３の内部には、平行リンク８３、８３と、前後方向の軸廻りに回動可能に支持される回転板８１と、右端部が回転板８１の偏心側面、又左端部が平行リンク８３、８３にそれぞれ枢着される左右方向を向くクランクレバー８２と、回転板８１を所定の方向へ回転させるモータ８４とが設けられている。回転板８１がモータ８４により回転すると、平行リンク８３、８３は、回転板８１の１８０度回転毎にクランクレバー８２を介して左右方向へ往復動作し、これに伴って、特別権利獲得捕球手段５０及び再抽選捕球手段５１も左右方向へ往復移動する。
【００３２】
図７は、特別権利獲得捕球手段５０及び再抽選捕球手段５１の分解斜視図、図８は、同じく捕球姿勢時の斜視図、図９は、同じく捕球姿勢時の正面図、図１０は、同じく遊技球を捕球した状態の正面図、図１１は、排出姿勢時の正面図である。
【００３３】
特別権利獲得捕球手段５０は、平行リンク８３、８３の上端部に支持される背面板５０２と、背面板５０２の前面に枢着される捕球部材５０３及び係合部材５０１と、捕球部材５０３及び係合部材５０１の前側に設けられる前面板５０４（図４、５では省略する）とを備えている。また、再抽選捕球部材５１は、特別権利獲得捕球手段５０と同一構成を有して、平行リンク８３、８３の下端部に支持される。なお、特別権利獲得捕球手段５０及び再抽選捕球手段５１は、互いに同一構造であるため、以下、特別権利獲得捕球手段５０を代表して、その構造及び作用を説明し、再抽選捕球手段５１については、特別権利獲得捕球手段５０のものと同一符号を付して詳細な説明は省略する。
【００３４】
特別権利獲得捕球手段５０の背面板５０２の背面は、平行リンク８３、８３の上端部に突設された連結ロッド５０５、５０５の先端部に枢支され、これによって左右移動時において常時水平に保たれる。
【００３５】
特別権利獲得捕球手段５０の捕球部材５０３は、背面板５０２に前後方向を向く枢軸５０６により枢着され、上面に設けた凹湾曲形状の捕球部５０３ａが上方を向き、遊技球Ａを捕球可能な捕球姿勢（図５、８、９及び図１０）と、捕球した遊技球Ａを捕球部５０３ａから排出可能なように右方へ傾く排出姿勢（図４、１１）とに回動可能である。
【００３６】
特別権利獲得捕球手段５０の捕球部材５０３の右端部には、下向きの爪部５０３ｂが設けられ、また、同じく左端部には、第１の錘５０７が固着されている。第１の錘５０７は、捕球部材５０３に対して、図９〜図１１において反時計方向、すなわち捕球姿勢に向けて回転モーメントを付与する。これにより、捕球部材５０３は、捕球部５０３ａに遊技球Ａを捕球していないとき、主に図９に示すように、背面板５０２に設けたストッパ５０２ａに当接することにより捕球姿勢に停止し、また、捕球部５０３ａに遊技球Ａを捕球した状態では、主に図１１に示すように、係合部材５０１が後述の離脱姿勢に変位すると、遊技球Ａの自重により、第１の錘５０７に抗して時計方向へ回動して捕球姿勢から排出姿勢に変化する。なお、捕球部５０３ａは、捕球した遊技球Ａの重心が枢軸５０６の中心より右方へ偏倚するような位置に設けられる。
【００３７】
特別権利獲得捕球手段５０の係合部材５０１は、背面板５０２に前後方向を向く枢軸５０８により枢着されるとともに、上端部に設けた段付き状の抑え部５０１ａが捕球部材５０３の爪部５０３ｂに係合し、捕球部材５０３の捕球姿勢から排出姿勢への変位を阻止する係合姿勢（図５、８、９及び図１０参照）と、係合姿勢から反時計方向へ回動し、抑え部５０１ａが捕球部材５０３の爪部５０３ｂから離脱して捕球部材５０３の捕球姿勢から排出姿勢への変位を可能にする離脱姿勢（図１１参照）とに回動可能である。
【００３８】
係合部材５０１の右下端部には、係合部材５０１に対して図９〜図１１において時計方向、すなわち係合姿勢へ向けて回転モーメントを付与する第２の錘５０９が設けられている。これにより、係合部材５０１は、特別権利獲得捕球手段５０が右端折り返し位置以外の領域にあるとき、主に図５、８、９及び図１０に示すように、背面板５０２に設けたストッパ５０２ｂに当接することにより係合姿勢に停止し、また、特別権利獲得捕球手段５０が右端折り返し位置又はその近傍に達したとき、特別権利獲得捕球手段５０の移動軌跡に設けられた第１突起７０（再抽選捕球手段５１においては第２突起７１）に当接することにより、第２の錘５０９が付与する回転モーメントに抗して反時計方向へ回動して、図１１に示す離脱姿勢に変位する。なお、捕球部材５０３が遊技球Ａを捕球していない状態においては、係合部材５０１が離脱姿勢に変位しても、捕球部材５０３は、第１の錘５０７により捕球姿勢に保持されたままである。
【００３９】
上述のように作用する第１の錘５０７及び第２の錘５０９を、捕球部材５０３及び係合部材５０１にそれぞれ設けることにより、捕球部材５０３を排出姿勢から捕球姿勢へ変位させるための動力、及び係合部材５０１を離脱姿勢から係合姿勢へ変位させるための動力を別途必要としないため、特別権利獲得捕球手段５０及び再抽選捕球手段５１の構造を簡単にすることができる。
【００４０】
次に、本実施形態において主に特別遊技領域２１内に入球した遊技球Ａの動き及び各捕球手段５０、５１の動作について説明する。
遊技球Ａが第１始動口１０又は第２始動口１１に入球したことに基づいて、羽根部材２２が開閉動作しているとき、遊技球Ａが開口３０から特別遊技領域２１内に入球すると、その遊技球Ａは、入賞センサ３１、誘導路３２、橋３３、導入口３４、リフト手段及びガイド用通路４０を通って受入容器４１内に誘導され、受入容器４１の底部に設けた落し孔４２から第１落下ガイド部４３上に落下して、第１落下ガイド部４３の前端から転がり落ちる。
【００４１】
第１落下ガイド部４３から転がり落ちた遊技球Ａは、左右方向へ常時往復移動している特別権利獲得捕球手段５０の捕球部材５０３によって捕球される可能性がある。遊技球Ａが捕球されない場合には、第２落下ガイド部４６上に落下して、第２落下ガイド部４６の前端から転がり落ちる。
【００４２】
特別権利獲得捕球手段５０の捕球部材５０３により遊技球Ａが捕球された場合には、捕球部材５０３は、図１０に示すように、その爪部５０３ｂが係合姿勢にある係合部材５０１の抑え部５０１ａに係合しているため、捕球姿勢のまま遊技球Ａを捕球部５０３ａに保持して左右方向へ搬送する。そして、図４、１１に示すように、特別権利獲得捕球手段５０が右端折り返し位置又はその近傍に達すると、係合部材５０１は、その突軸５０１ｂが第１垂直面４５に設けた第１突起７０に当接することにより、係合姿勢から離脱姿勢に回動する。これにより、捕球部材５０３は、遊技球Ａの自重により第１の錘５０７に抗して、捕球姿勢から排出姿勢へ回動して、遊技球Ａを捕球部５０３ａから右方、すなわち特別入賞口６０へ向けて排出する。
【００４３】
このように、遊技球Ａが特別権利獲得捕球手段５０により捕球された場合には、遊技球Ａが特別権利獲得捕球手段５０により搬送されて左右方向へ移動した後、特別入賞口６０へ向けて排出されるため、遊技者は、遊技球Ａが特別権利獲得捕球手段５０に捕球されたときの左右方向への移動及び排出される動きを見て遊技を楽しむことができる。
【００４４】
遊技球Ａを排出した捕球部材５０３は、空荷状態となるため、第１の錘５０７により排出姿勢から捕球姿勢に復帰回動する。また、特別権利獲得捕球手段５０が右端折り返し位置からその移動方向を反転して左方へ移動して、第１突起７０が係合部材５０１から離れると、係合部材５０１は、第２の錘５０９により離脱姿勢から係合姿勢に復帰回動する。
【００４５】
捕球部材５０３から排出された遊技球Ａは、特別入賞口６０を通過して遊技盤６の裏面に排出される。特別入賞口６０が遊技球Ａの通過を検出すると、それを契機に、特別権利発生信号を遊技盤６の裏面に設けられた制御回路部（図示略）に送信する。そして、制御回路部は、特別権利発生権利信号を入力することによって、遊技を遊技者にとって有利な特別遊技の権利を発生させ、遊技状態を特別遊技状態に移行させる。
【００４６】
特別遊技状態となった場合には、例えば羽根部材２２が所定回数開閉動作を繰返すか、あるいは遊技球Ａが特定遊技領域２１内に所定数（例えば１０個）入球するまで繰返される動作が、複数ラウンドに亘って繰返され、遊技者に対して短時間に大量の賞球、すなわち遊技価値を付与することとなる。この特別遊技状態の期間は、橋３３が跳ね上げ位置に移動しているため、橋３３の状態を見ても特別遊技状態であることを目視することができる。
【００４７】
また、第１落下ガイド部４３から落下した遊技球Ａのうち、特別権利獲得捕球手段５０に捕球されなかった遊技球Ａは、第２落下ガイド部４６上に落下して、その前端から転がり落ち、今度は、再抽選捕球手段５１により捕球される可能性がある。遊技球Ａが捕球されない場合には、排出ガイド部４８に落下して遊技盤６の裏面側に排出される。
【００４８】
再抽選捕球手段５１の捕球部材５０３により遊技球Ａが捕球された場合には、再抽選捕球手段５１が遊技球Ａを左右方向へ搬送しつつ右端折り返し位置又はその近傍に達すると、第２垂直面４７に設けた第２突起７１が、再抽選捕球手段５１の係合部材５０１の突軸５０１ｂに当接することによって、前述の特別権利獲得捕球手段５０と同様な動作をもって、捕球部材５０３が捕球姿勢から排出姿勢に回動する。そして、捕球部材５０３に捕球された遊技球Ａは、再抽選用誘導路９０へ向けて排出され、上述のように再び受入容器４１内に誘導されることにより、再度、特別権利獲得捕球手段５０に捕球されるチャンスが得られる。
【００４９】
なお、本実施形態においては、各捕球手段５０、５１を特別遊技領域２１内に左右方向へ往復移動可能に設けたが、各捕球手段５０、５１を遊技領域５に左右方向へ往復移動可能に設けても良い。また、特別遊技の権利が発生した場合には、羽根部材２２を開閉動作させるものに代えて、遊技球Ａが入球可能な大入賞口を所定時間開放するようにしたものとしても良い。
【図面の簡単な説明】
【００５０】
【図１】本発明に係る弾球遊技機の正面図である。
【図２】特別入賞装置の正面図である。
【図３】図２におけるIII−III線断面図である。
【図４】特別入賞置内の一部を切り欠いて示す要部の斜視図である。
【図５】特別入賞置内の一部を切り欠いて示す要部の斜視図である。
【図６】要部の拡大斜視図である。
【図７】捕球手段の分解斜視図である。
【図８】捕球手段における捕球姿勢時の斜視図である。
【図９】捕球手段ににおける捕球姿勢時の正面図である。
【図１０】捕球手段における遊技球を捕球した状態の正面図である。
【図１１】捕球手段における排出姿勢時の正面図である。
【符号の説明】
【００５１】
１  弾球遊技機
２  外枠
３  外側ガイドレール
４  内側ガイドレール
５  遊技領域
６  遊技盤
７  ガラス枠扉
８  球供給皿
９  操作ハンドル
１０  第１始動口
１１  第２始動口
１２  アウト口
２０  特別入賞装置
２１  特別遊技領域
２２  羽根部材
２３  ハウジング
３０  開口
３１  入賞センサ
３２  誘導路
３３  橋
３３ａ  ガイド部
３３ｂ  ソレノイド
３４  導入口
３５  再チャレンジ用排出口
４０  ガイド用通路
４１  受入容器
４２  落し孔
４３  第１落下ガイド部
４５  第１垂直面
４５ａ  円弧状スリット
４６  第２落下ガイド部
４７  第２垂直面
４７ａ  円弧状スリット
４８  排出ガイド部
５０  特別権利獲得捕球手段
５１  再抽選捕球手段
６０  特別入賞口
７０  第１突起（解除部）
７１  第２突起（解除部）
８１  回転板
８２  クランクレバー
８３  平行リンク
８４  モータ
８５  連結ロッド
９０  再抽選用誘導路
５０１  係合部材
５０１ａ  抑え部
５０１ｂ  突軸
５０２  背面板
５０２ａ、５０２ｂ  ストッパ
５０３  捕球部材
５０３ａ  捕球部
５０３ｂ  爪部
５０４  前面板
５０５  連結ロッド
５０６  枢軸
５０７  第１の錘
５０８  枢軸
５０９  第２の錘
Ａ  遊技球
【図１】
2008272127.tif 000003
【図２】
2008272127.tif 000004
【図３】
2008272127.tif 000005
【図４】
2008272127.tif 000006
【図５】
2008272127.tif 000007
【図６】
2008272127.tif 000008
【図７】
2008272127.tif 000009
【図８】
2008272127.tif 000010
【図９】
2008272127.tif 000011
【図１０】
2008272127.tif 000012
【図１１】
2008272127.tif 000013